(57)【特許請求の範囲】
【請求項１】
電気電子部品若しくは制御回路基板を相互に電気接続する配線の先端部に合成樹脂製コネクタ部材を設けた脱着型配線処理ユニットを備えたパチンコ遊技機において、
前記脱着型配線処理ユニットは、金属製の導電性接続端を備え、
前記合成樹脂製コネクタ部材は、前面と上部を開口した複数の縦長の挿入孔が一定間隔で１列に形成され、前記挿入孔は下部が前記導電性接続端を嵌合可能な幅と奥行きとし、上部は下部よりも狭くして前記配線を挿入しうる径とし、前記挿入孔の上部前面には両側に配線より狭くして前記配線を止めうる係止部が形成され、
前記挿入孔間の前記係止部は矢形に形成されて、前記矢形の係止部間を通じて前記配線の配線端子を押し込み、前記配線端子が前記矢形の係止部により係止され、
前記導電性接続端は、前記挿入孔に嵌合可能な幅で、前面にＹ字状溝が形成された配線接続片が形成されており、
前記導電性接続端を前記各挿入孔の前面より前記挿入孔の下部に嵌合装着し、前記配線端子を前記係止部の弾性を利用して前記挿入孔に押し込むことで狭圧されて、前記導電性接続端の配線接続片のＹ字状溝に押し込み前記配線の皮膜を突き刺すことにより前記配線端子の芯線と前記配線接続片を接続することを特徴とするパチンコ遊技機。
【発明の詳細な説明】
【０００１】
【発明の属する技術分野】
この発明はパチンコ遊技機に設けられた電気電子部品若しくは制御回路基板を相互に電気接続する脱着型配線処理ユニット（コネクタユニット）による接続作業を簡単としかつ単一のコネクタ用ポストに複数の脱着型配線処理ユニットを統合して配線処理できるパチンコ遊技機に関する。
【０００２】
【従来の技術】
従来のパチンコ機において、パチンコ遊技機の機構基板、遊技盤、前面枠体等に設けられた電気電子部品若しくは制御回路基板を相互に電気接続する配線端子として、上部に配線端子の芯線を止める拘着部と端子を挿入する筒状部と端子の接するバネ状接触片を一体形成した導電性接続金具を取付け、コネクタ部材に複数の挿入孔を形成して、該コネクタ部材の各挿入孔にそれぞれ導電性接続金具を取り付けた配線端子を挿入圧着した差込みコネクタ部材が使用されている。
【０００３】
【発明が解決しようとする課題】
上記従来のコネクタ部材の配線処理構造では、リード線の導電性接続金具をコネクタ部材の挿入孔に嵌合して圧着接続する構造としたので、電気電子部品若しくは制御回路基板の相互間の接続作業に手間がかかりコストが高く、また、コネクタ部材を外すために配線を引っ張ると一部の接続端子がコネクタ部材より抜脱することがあり問題となっていた。
【０００４】
この発明はこのような問題を解決するもので、パチンコ遊技機に設けられた電気電子部品若しくは制御回路基板を相互に電気接続するコネクタ部材による接続作業を簡単とし、かつ配線端子をコネクタ部材に合成樹脂材製コネクタ部材の矢形の係止部により係止して狭圧し、導電性接続端の配線接続片のＹ字状溝に押し込み配線の皮膜を突き刺すことにより一体化して抜脱を防止できるパチンコ遊技機を提供することを目的とする。
【０００５】
【課題を解決するための手段】
この発明の請求項１のパチンコ遊技機は、電気電子部品若しくは制御回路基板を相互に電気接続する配線の先端部に合成樹脂製コネクタ部材を設けた脱着型配線処理ユニットを備えたパチンコ遊技機において、
前記脱着型配線処理ユニットは、金属製の導電性接続端を備え、
前記合成樹脂製コネクタ部材は、前面と上部を開口した複数の縦長の挿入孔が一定間隔で１列に形成され、前記挿入孔は下部が前記導電性接続端を嵌合可能な幅と奥行きとし、上部は下部よりも狭くして前記配線を挿入しうる径とし、前記挿入孔の上部前面には両側に配線より狭くして前記配線を止めうる係止部が形成され、
前記挿入孔間の前記係止部は矢形に形成されて、前記矢形の係止部間を通じて前記配線の配線端子を押し込み、前記配線端子が前記矢形の係止部により係止され、
前記導電性接続端は、前記挿入孔に嵌合可能な幅で、前面にＹ字状溝が形成された配線接続片が形成されており、
前記導電性接続端を前記各挿入孔の前面より前記挿入孔の下部に嵌合装着し、前記配線端子を前記係止部の弾性を利用して前記挿入孔に押し込むことで狭圧されて、前記導電性接続端の配線接続片のＹ字状溝に押し込み前記配線の皮膜を突き刺すことにより前記配線端子の芯線と前記配線接続片を接続することを特徴とするものである。
【０００７】
この第１の発明の構成による作用は、配線端子を合成樹脂製コネクタ部材の矢形係止部により狭圧し、導電性接続端の配線接続片のＹ字状溝に押し込み前記配線の皮膜を突き刺すことにより一体化した脱着型配線処理ユニット３０で配線処理するので、パチンコ遊技機の電気電子部品若しくは制御回路基板の相互間の接続作業が簡便となりしかも低コストにでき、また配線端子をコネクタ部材に合成樹脂製コネクタ部材の矢形の係止部により係止して狭圧し、導電性接続端の配線接続片のＹ字状溝に押し込み前記配線の皮膜を突き刺すことにより一体化したので、リード線等配線の抜脱を防止できる。
【０００９】
【発明の実施形態】
この発明の実施形態を図面に基づいて説明する。図１はこの発明のパチンコ遊技機に使用するコネクタ部材の正面図、図２は導電性接続端の拡大斜視図、図３はコネクタ用ポスト、コネクタ用ホルダ、コネクタ部材を外して示す斜視図、図４は大入賞口基板の正面図、図５は中継基板の正面図、図６は基板に設けたコネクタ用ポスト、コネクタ部材をはめたホルダ、コネクタ部材等を示す斜視図、図７はパチンコ遊技機の背面側斜視図、図８は回路図である。
【００１０】
図７において、１は機枠、２は機枠に開閉自在とした前面枠体、３は機構基板である。機構基板３にはタンク１０、タンクレール１１、賞球払出し装置１２、裏カバー１３、主基板収容ボックス１４、賞球払出し制御装置１５、打球発射装置１７等が備えられ、また機枠１の側部にプリペードカードユニット４が備えられている。この発明は、前面枠体２、機構基板３、遊技盤等に設けられた外部接続端子基板、主基板収容ボックスの主基板、中継基板、賞球払出し制御基板、特別図柄表示基板、大入賞口基板、普通図柄表示基板等回路基板等各種の基板１６、電気電子部品等を相互に接続する電気接続配線２０、すなわち、リード線、フラットケーブル等を脱着型配線処理ユニット３０、コネクタ用ポスト４０、コネクタ用ホルダ５０を用いて纏めて接続できるようにしたものである。
【００１１】
図１乃至図３において、この発明のパチンコ遊技機の配線処理に使用する脱着型配線処理ユニット（コネクタユニット）３０について説明する。脱着型配線処理ユニット３０の合成樹脂製コネクタ部材３１はその前面と上部を開口した複数の縦長の挿入孔３２が一定間隔で１列に形成される。挿入孔３２は下部は導電性接続端３４（金属製接続金具）を嵌合できる幅と奥行きとし、上部は下部より狭くしてリード線、フラットケーブル等配線２０を挿入しうる径とし、また各挿入孔３２の上部前面には両側に配線より狭くして配線２０を止めうる係止部３３が形成されている。挿入孔３２間の係止部３３は矢形に形成され、その矢形の係止部間を通じて配線端子を押し込み、配線端子が矢形により係止されるとともに接続端３４に圧接される。図２に導電性接続端３４を拡大して示す。導電性接続端３４は前記コネクタ部材３１の挿入孔３２に嵌合できる幅で、かつコネクタ用ポスト４０の端子４５を嵌合しうる端子用接続部３４ａと、配線２０を接続しうる配線接続片３４ｂが一体形成されている。実施形態では金属製接続端３４の下部の端子用接続部３４ａはポスト４０の端子４５を弾性を利用して嵌合接続しうるＵ字状とし、その上部に配線端子の皮膜を突き刺し芯線と接続しうる２段の配線接続片３４ｂが一体形成されている。この二段の配線接続片３４ｂは薄板で、前面に配線端子の皮膜を突き刺しうるＹ字状溝３４ｃが形成されている。また、コネクタ部材３１の両端には後述のホルダ５０の嵌合凹部５４に嵌合する凸部３５が形成されている。
【００１２】
脱着型配線処理ユニット３０は、前記接続端３４を各挿入孔３２の前面より前記合成樹脂製コネクタ部材３１の挿入孔３２に嵌合装着して、配線２０の配線端子を前記コネクタ部材３１の挿入孔３２の上部の係止部３３の弾性を利用して押し込み、前記コネクタ部材の内部に嵌合装着した接続端３４の二段の配線接続片３４ｂのＹ字状溝３４ｃに押し込み配線の皮膜を突き刺して端子の芯線と配線接続片３４ｂを接続し、コネクタ部材を構成する合成樹脂材等により圧接することにより一体化して構成される。而して、配線２０の配線端子は配線接続端３４に突き刺しかつ係止部３３で狭圧されて一体化され、線方向に抜脱しないように構成される。
【００１３】
図３において、コネクタ用ポスト４０は、合成樹脂製のポスト器体内部に前記脱着型配線処理ユニット３０を２列に収納、脱着しうるようにしたものである。すなわち、ポスト器体内部は前記コネクタ用ユニット３０を装着した後述のコネクタ用ホルダ５０を脱着可能な構造とする。ホルダ５０を脱着する構造は、コネクタ用ポスト４０の内部の片側内壁４１にホルダ嵌合溝４２と、両側壁４３の端部にホルダ嵌合溝４４が形成されて、かつ底面の両側に複数の導電性端子４５が垂直に貫通されて２列に設けられ、ポストの下部と内部に端子４５が２列に設けられている。
【００１４】
図３において、ホルダ５０は、脱着型配線処理ユニット３０のコネクタ部材３１を受ける合成樹脂製の板体５１の上部中央を仕切板５２で仕切り両端に嵌合壁５３を設けて、平面形状を工型に構成し、その仕切板５２の両側に前記脱着型配線処理ユニット３０を嵌合装着して板体５１上に載せうるように形成する。すなわち、工型ホルダ５０の両端嵌合壁５３の間隔はコネクタ部材３１の長さと同じとして、その一方の嵌合壁５３の外面に前記ポスト４０片側内端に形成した二条の嵌合溝４２に嵌合するコ字型嵌合部５４と、嵌合壁５３の両側内面にコネクタ部材３１の両端の凸部３５を嵌合する嵌合凹部５５とが形成されている。また、ホルダ５０の他方の嵌合壁５３の外部にはコネクタ用ポスト４０の上に当てる突状の係止片５６が形成されている。コネクタ部材３１をホルダ５０の嵌合する際には、コネクタ部材の挿入孔３２側を仕切板５２側として嵌合して挿入孔側を露出しないようにして、配線端子を保護する。上記実施形態では、ホルダを使用して一対の脱着型配線処理ユニットを嵌合したものを、基板に備えたコネクタ用ポストに嵌合して配線を接続する場合について説明したが、これに限られるものではなく、脱着型配線処理ユニットの単体をコネクタ用ポストに直接嵌合して接続する構造とすることもできる。
【００１５】
而して、図６において、コネクタ用ポスト４０に一対の脱着型配線処理ユニット３０を装着したホルダ５０を嵌合する場合を説明すると、工型ホルダ５０の仕切板５２の両側に一対の脱着型配線処理ユニット３０をその挿入孔３２側を仕切板側として嵌合壁５３の内面の嵌合凹部５５に嵌合して板体５１の上に載せて装着し、この工型ホルダ５０の片側の嵌合壁５３の外面の嵌合部５４をコネクタ用ポスト４０の内部片側の嵌合溝４２に、また、両側の嵌合壁５３の両側を両側壁４３の嵌合溝４４に嵌合し、他方の係止片５６をポスト４０に当てることにより、一度に二つの脱着型配線処理ユニット３０を基板１６の配線回路に接続することができる。
【００１６】
図４および図５において、基板１６の一例として、大入賞口基板、中継基板を示す。この基板において、２列用のコネクタ用ポスト４０と１列用のコネクタ用ポスト４６が設けられている。２列用コネクタ用ポストを設けることにより、従来の沢山のコネクタを羅列したものに比べて設置面積を少なくすることができる。この２列コネクタ用ポストを多く使用すれば、基板を小さく設計でき、パチンコ遊技機の遊技盤、機構基板等の背面の狭いスペースを有効に使用することができる。
【００１７】
図８に回路図の一例を示す。図において、Ｘ１は中継基板、Ｘ２は特別図柄表示装置基板、Ｘ３は主基板、Ｘ６，Ｘ７はランプ風車基板、Ｘ１２，Ｘ１３は再度ＬＥＤ基板、Ｘ１４は大入賞口基板、Ｘ１５，Ｘ１６は大入賞口ランプ基板、Ｘ１７は大入賞口ＬＥＤ基板、２１は普通電動役物開放用ソレノイド、２２は大入賞口開放用ソレノイド、２３は特定領域用スイッチ、２４はカウント用スイッチである。なお、大入賞口基板Ｘ１４に設けられた当該構成のコネクタからは大入賞口ランプ基板Ｘ１５、Ｘ１６、表示ＬＥＤ基板Ｘ１７や大入賞球数検出スイッチ或いは特定領域通過球検出スイッチ、および可変入賞口扉を開閉駆動するソレノイドに向かって電気接続される構造にある。また、中継基板Ｘ１には、例示したもの以外に多種類がパチンコ遊技機に設けられるが、これらの中継基板に設けられた本構成のコネクタ手段、配線処理構造により、他の入賞球検出スイッチや表示ランプ、若しくはＬＥＤ入賞装置駆動手段としてのソレノイドやモーター、或いは各種制御回路基板が基板上に設けられたポスト４０、４６や、基板から遊離して設けられた脱着型配線処理ユニット３０、４７により、これら各種配線を中継接続するための占有領域を縮小して、合理的に接合することを可能にすることができる。
【００１８】
この発明のパチンコ遊技機は上記構成としたので、図６および図７に基づいて、基板１６に端子を固定したコネクタ用ポスト４０にリード線等の配線を接続した脱着型配線処理ユニット３０等を装着して統合装着する場合等について説明する。まず、コネクタ用ポスト４０の底面の導電性端子４５の下部は基板１６に設けられた複数の穴１７に挿入されてハンダ等で接着される。そして一対の脱着型配線処理ユニット３０を嵌合装着したホルダ５０をコネクタ用ポスト４０に嵌合することにより一度に二つの脱着型配線処理ユニット３０を基板１６の配線回路に接続することができる。また、１列のコネクタ用ポストの場合には、端子を１列設けた脱着型配線処理ユニットの単体を嵌合して基板１６に接続できる。
【００１９】
以上の実施形態を示したが、この発明はこの形態に限定されるものではなく、この発明の要旨を逸脱しない範囲で様々な形態を実施しうるものである。コネクタ用ポスト自体を中央で仕切って内部を２列とし、脱着型配線処理ユニットを直接そのポストに嵌合接続するようにしてもよい。また、コネクタ用ポストとして、基板に固定しない角筒状のコネクタポスト４７に脱着型配線処理ユニット３０を備えたホルダ又は脱着型配線処理ユニット３０単体を嵌合するようにもできる。
なお、上記説明においては、コネクタとして統一して説明したが、これに限るものではなく、類似の電気的接続手段であるプラグ、ソケット等をこれに置き換えて構成するようにしてもよいこと勿論である。
【００２０】
【発明の効果】
この発明の請求項１によれば、配線端子を合成樹脂製コネクタ部材の矢形係止部により狭圧し、導電性接続端の配線接続片のＹ字状溝に押し込み前記配線の皮膜を突き刺すことにより一体化した脱着型配線処理ユニットで配線処理をするので、リード線の端子に圧着端子を装着しこれをコネクタに挿入した従来構造に比較して、パチンコ遊技機の電気部品相互間の接続作業が簡便となりしかも低コストにできる。かつ配線端子をコネクタ部材に合成樹脂製コネクタ部材の矢形の係止部により係止して狭圧し、導電性接続端の配線接続片のＹ字状溝に押し込み前記配線の皮膜を突き刺すことにより一体化したので、リード線等配線の抜脱を防止できる。
【図面の簡単な説明】
【図１】この発明の遊技機に使用するコネクタ部材の正面図である。
【図２】導電性接続端の拡大斜視図である。
【図３】コネクタ用ポスト、コネクタ用ホルダ、コネクタ部材を外して示す斜視図である。
【図４】大入賞口基板の正面図である。
【図５】中継基板の正面図である。
【図６】基板に設けたコネクタ用ポスト、コネクタ部材をはめたホルダ、コネクタ部材等を示す斜視図である。
【図７】パチンコ遊技機の背面側斜視図である。
【図８】回路図である。
【符号の説明】
２０  配線
３０  脱着型配線処理ユニット
３１  コネクタ部材
３４  導電性接続端
４０  コネクタ用ポスト
４５  端子
５０  コネクタ用ホルダ
５２  仕切板
【図１】
0003967840.tif 000002
【図２】
0003967840.tif 000003
【図３】
0003967840.tif 000004
【図４】
0003967840.tif 000005
【図５】
0003967840.tif 000006
【図６】
0003967840.tif 000007
【図７】
0003967840.tif 000008
【図８】
0003967840.tif 000009